(57)【特許請求の範囲】
【請求項１】
開口部を有する包装体本体と、該包装体本体に、折り畳まれた状態で互いに挟み込み合うことなく積層されて収容される複数のウェットティッシュと、を備えるウェットティッシュ包装体であって、
前記複数のウェットティッシュそれぞれは、
第１側縁と、
前記第１側縁から第１幅の位置に設けられる第１折線と、
前記第１折線から第２幅の位置に設けられる第２折線と、
前記第１折線及び前記第２折線において前記ウェットティッシュが折り返されて形成される折り返し部と、を備え、
前記折り返し部は、前記開口部側に位置すると共に、該折り返し部の一部が前記開口部から露出可能に配置されるウェットティッシュ包装体。
【請求項２】
前記折り返し部は、前記第２折線において前記ウェットティッシュの一方の面同士が対向するように折り返されると共に、前記第１折線において該ウェットティッシュの他方の面同士が対向するように折り返されて形成される請求項１に記載のウェットティッシュ包装体。
【請求項３】
前記折り返し部は、前記第２折線及び前記第１折線において、前記ウェットティッシュの一方の面同士が対向するように折り返されて形成される請求項１に記載のウェットティッシュ包装体。
【請求項４】
前記複数のウェットティッシュそれぞれは、前記第２折線から第３幅の位置に設けられる第３折線を更に有すると共に、該第３折線において該ウェットティッシュの他方の面同士が対向するように折り返されており、
前記折り返し部は、折り畳まれた状態の前記複数のウェットティッシュそれぞれにおける前記第３折線の延びる方向に交差する方向の略中央部に位置する請求項１〜３のいずれかに記載のウェットティッシュ包装体。
【請求項５】
前記複数のウェットティッシュは、前記第３幅の長さが第１長さに構成された第１ウェットティッシュと、前記第３幅の長さが前記第１長さよりも短い第２長さに構成された第２ウェットティッシュと、を含んで構成され、前記第１ウェットティッシュと前記第２ウェットティッシュとが交互に積層されており、
前記複数のウェットティッシュが積層された状態で、前記第１ウェットティッシュの折り返し部と、前記第２ウェットティッシュの折り返し部とは、重なり合わない位置に配置される請求項４に記載のウェットティッシュ包装体。
【請求項６】
前記複数のウェットティッシュそれぞれは、前記第３折線から第４幅の位置に設けられる第４折線を有すると共に、該第４折線において該ウェットティッシュの一方の面同士が対向するように折り返されている請求項４又は５に記載のウェットティッシュ包装体。
【請求項７】
開口部を有する包装体本体と、該包装体本体に、折り畳まれた状態で互いに挟み込み合うことなく積層されて収容される複数のウェットティッシュと、を備えるウェットティッシュ包装体であって、
前記ウェットティッシュは、
第１側縁と、
前記第１側縁から所定幅の位置で前記ウェットティッシュが２つ折りに折り返されて形成された２つ折り部と、
前記２つ折り部の先端側が更に折り返されて形成された折り返し端部と、を備えるウェットティッシュ包装体。
【請求項８】
所定の位置に形成される折線で折り畳まれた第１ウェットティッシュと、該第１ウェットティッシュの折線とは異なる位置に形成される折線で折り畳まれた第２ウェットティッシュとが交互に積層されたウェットティッシュ積層体を有するウェットティッシュ包装体の製造方法であって、
ロール状に巻かれた第１原反及びロール状に巻かれた第２原反を繰り出す繰り出し工程と、
前記繰り出し工程において繰り出された前記第１原反を該第１原反の幅方向に折り重ねて前記第１ウェットティッシュの連続体を形成する第１折り重ね工程と、
前記繰り出し工程において繰り出された前記第２原反を該第２原反の幅方向に折り重ねて前記第２ウェットティッシュの連続体を形成する第２折り重ね工程と、
前記第１ウェットティッシュの連続体における一方の面側から該第１ウェットティッシュの連続体に液体を含浸させる第１含浸工程と、
前記第２ウェットティッシュの連続体における一方の面側から該第２ウェットティッシュの連続体に液体を含浸させる第２含浸工程と、
前記第１ウェットティッシュの連続体における他方の面と、前記第２ウェットティッシュの連続体における一方の面とが当接するように前記第１ウェットティッシュの連続体と前記第２ウェットティッシュの連続体とを重ね合わせて前記第１ウェットティッシュの連続体及び前記第２ウェットティッシュの連続体の重層体を形成する重ね工程と、を備えるウェットティッシュ包装体の製造方法。
【請求項９】
前記重ね工程において重ね合わせられた前記第１ウェットティッシュの連続体及び前記第２ウェットティッシュの連続体の重層体を、長手方向に所定の間隔をあけて切断する切断工程と、
前記切断工程において切断された前記第１ウェットティッシュ及び前記第２ウェットティッシュの重層体を複数層積層する積層工程と、を更に備える請求項８に記載のウェットティッシュ包装体の製造方法。
【請求項１０】
所定の位置に形成される折線で折り畳まれた第１ウェットティッシュと、該第１ウェットティッシュの折線とは異なる位置に形成される折線で折り畳まれた第２ウェットティッシュとが交互に積層されたウェットティッシュ積層体を有するウェットティッシュ包装体の製造装置であって、
ロール状に巻かれた第１原反及びロール状に巻かれた第２原反を繰り出す繰り出し手段と、
前記繰り出し手段において繰り出された前記第１原反を該第１原反の幅方向に折り重ねて前記第１ウェットティッシュの連続体を形成する第１折手段と、
前記繰り出し手段において繰り出された前記第２原反を該第２原反の幅方向に折り重ねて前記第２ウェットティッシュの連続体を形成する第２折手段と、
前記第１ウェットティッシュの連続体における一方の面側から該第１ウェットティッシュの連続体に液体を含浸させる第１含浸手段と、
前記第２ウェットティッシュの連続体における一方の面側から該第２ウェットティッシュの連続体に液体を含浸させる第２含浸手段と、
前記第１ウェットティッシュの連続体における他方の面と、前記第２ウェットティッシュの連続体における一方の面とが当接するように前記第１ウェットティッシュの連続体と前記第２ウェットティッシュの連続体とを重ね合わせて前記第１ウェットティッシュの連続体及び前記第２ウェットティッシュの連続体の重層体を形成する重ね手段と、を備えるウェットティッシュ包装体の製造装置。
【発明の詳細な説明】
【技術分野】
【０００１】
本発明は、ウェットティッシュ包装体、ウェットティッシュ包装体の製造方法、及びウェットティッシュ包装体の製造装置に関する。詳しくは、開口部を有する包装体本体と、この包装体本体に積層されて収容される複数のウェットティッシュと、を備えるウェットティッシュ包装体、該ウェットティッシュ包装体の製造方法、及び該ウェットティッシュ包装体の製造装置に関する。
【背景技術】
【０００２】
従来、開口部を有する包装体本体と、この包装体本体に積層されて収容される複数のウェットティッシュとを備えたウェットティッシュ包装体が知られている。このようなウェットティッシュ包装体では、複数のウェットティッシュは、それぞれ、所定の折線により折り畳まれた状態で積層されて包装体本体に収容されている。そして、包装体本体に収容された複数のウェットティッシュは、開口部から一枚ずつ取り出されて使用される。ここで、開口部からウェットティッシュが取り出されるときは、ウェットティッシュの開口部側に位置する側縁部分が摘まれるようにして取り出される。
【０００３】
この際、包装体本体に積層されて収容された複数のウェットティッシュは、ウェットティッシュが含む水分により互いに密着して摘みにくくなる。そこで、包装体本体に収容された複数のウェットティッシュにおける側縁部分を摘みやすくするための様々な技術が提案されている。
例えば、特許文献１には、ウェットティッシュの側縁を波状に切断する技術が提案されている。また、特許文献２には、ウェットティッシュの側縁近傍にエンボス加工を施す技術が提案されている。
【先行技術文献】
【特許文献】
【０００４】
【特許文献１】米国特許第５５４０３３２号明細書
【特許文献２】特表２０００−５０９３１５号公報
【発明の概要】
【発明が解決しようとする課題】
【０００５】
しかしながら、特許文献１で提案された技術では、単にウェットティッシュの側縁部分を非直線状に形成したに過ぎず、ウェットティッシュの摘みやすさは向上できない。また、特許文献２で提案された技術では、ウェットティッシュは、積層されることで押圧されるので、エンボス加工で形成される凹凸が圧縮されてしまい、ウェットティッシュの側縁部分における摘みやすさを十分に向上できなかった。
【０００６】
従って、本発明は、包装体本体の内部に収容されたウェットティッシュを取り出しやすいウェットティッシュ包装体、このウェットティッシュ包装体の製造方法、及びこのウェットティッシュ包装体の製造装置を提供することを目的とする。
【課題を解決するための手段】
【０００７】
本発明は、開口部を有する包装体本体と、該包装体本体に、折り畳まれた状態で互いに挟み込み合うことなく積層されて収容される複数のウェットティッシュと、を備えるウェットティッシュ包装体であって、前記複数のウェットティッシュそれぞれは、第１側縁と、前記第１側縁から第１幅の位置に設けられる第１折線と、前記第１折線から第２幅の位置に設けられる第２折線と、前記第１折線及び前記第２折線において前記ウェットティッシュが折り返されて形成される折り返し部と、を備え、前記折り返し部は、前記開口部側に位置すると共に、該折り返し部の一部が前記開口部から露出可能に配置されるウェットティッシュ包装体に関する。
【０００８】
また、前記折り返し部は、前記第２折線において前記ウェットティッシュの一方の面同士が対向するように折り返されると共に、前記第１折線において該ウェットティッシュの他方の面同士が対向するように折り返されて形成されることが好ましい。
【０００９】
また、前記折り返し部は、前記第２折線及び前記第１折線において、前記ウェットティッシュの一方の面同士が対向するように折り返されて形成されることが好ましい。
【００１０】
また、前記複数のウェットティッシュそれぞれは、前記第２折線から第３幅の位置に設けられる第３折線を更に有すると共に、該第３折線において該ウェットティッシュの他方の面同士が対向するように折り返されており、前記折り返し部は、折り畳まれた状態の前記複数のウェットティッシュそれぞれにおける前記第３折線の延びる方向に交差する方向の略中央部に位置することが好ましい。
【００１１】
また、前記複数のウェットティッシュは、前記第３幅の長さが第１長さに構成された第１ウェットティッシュと、前記第３幅の長さが前記第１長さよりも短い第２長さに構成された第２ウェットティッシュと、を含んで構成され、前記第１ウェットティッシュと前記第２ウェットティッシュとが交互に積層されており、前記複数のウェットティッシュが積層された状態で、前記第１ウェットティッシュの折り返し部と、前記第２ウェットティッシュの折り返し部とは、重なり合わない位置に配置されることが好ましい。
【００１２】
また、前記複数のウェットティッシュそれぞれは、前記第３折線から第４幅の位置に該第３折線と略平行に設けられる第４折線を有すると共に、該第４折線において該ウェットティッシュの一方の面同士が対向するように折り返されていることが好ましい。
【００１３】
また、本発明は、開口部を有する包装体本体と、該包装体本体に、折り畳まれた状態で互いに挟み込み合うことなく積層されて収容される複数のウェットティッシュと、を備えるウェットティッシュ包装体であって、前記ウェットティッシュは、第１側縁と、前記第１側縁から所定幅の位置で前記ウェットティッシュが２つ折りに折り返されて形成された２つ折り部と、前記２つ折り部の先端側が更に折り返されて形成された折り返し端部と、を備えるウェットティッシュ包装体に関する。
【００１４】
また、本発明は、所定の位置に形成される折線で折り畳まれた第１ウェットティッシュと、該第１ウェットティッシュの折線とは異なる位置に形成される折線で折り畳まれた第２ウェットティッシュとが交互に積層されたウェットティッシュ積層体を有するウェットティッシュ包装体の製造方法であって、ロール状に巻かれた第１原反及びロール状に巻かれた第２原反を繰り出す繰り出し工程と、前記繰り出し工程において繰り出された前記第１原反を該第１原反の幅方向に折り重ねて前記第１ウェットティッシュの連続体を形成する第１折り重ね工程と、前記繰り出し工程において繰り出された前記第２原反を該第２原反の幅方向に折り重ねて前記第２ウェットティッシュの連続体を形成する第２折り重ね工程と、前記第１ウェットティッシュの連続体における一方の面側から該第１ウェットティッシュの連続体に液体を含浸させる第１含浸工程と、前記第２ウェットティッシュの連続体における一方の面側から該第２ウェットティッシュの連続体に液体を含浸させる第２含浸工程と、前記第１ウェットティッシュの連続体における他方の面と、前記第２ウェットティッシュの連続体における一方の面とが当接するように前記第１ウェットティッシュの連続体と前記第２ウェットティッシュの連続体とを重ね合わせて前記第１ウェットティッシュの連続体及び前記第２ウェットティッシュの連続体の重層体を形成する重ね工程と、を備えるウェットティッシュ包装体の製造方法に関する。
【００１５】
また、前記重ね工程において重ね合わせられた前記第１ウェットティッシュの連続体及び前記第２ウェットティッシュの連続体の重層体を、長手方向に所定の間隔をあけて切断する切断工程と、前記切断工程において切断された前記第１ウェットティッシュ及び前記第２ウェットティッシュの重層体を複数層積層する積層工程と、を更に備えることが好ましい。
【００１６】
また、本発明は、所定の位置に形成される折線で折り畳まれた第１ウェットティッシュと、該第１ウェットティッシュの折線とは異なる位置に形成される折線で折り畳まれた第２ウェットティッシュとが交互に積層されたウェットティッシュ積層体を有するウェットティッシュ包装体の製造装置であって、ロール状に巻かれた第１原反及びロール状に巻かれた第２原反を繰り出す繰り出し手段と、前記繰り出し手段において繰り出された前記第１原反を該第１原反の幅方向に折り重ねて前記第１ウェットティッシュの連続体を形成する第１折手段と、前記繰り出し手段において繰り出された前記第２原反を該第２原反の幅方向に折り重ねて前記第２ウェットティッシュの連続体を形成する第２折手段と、前記第１ウェットティッシュの連続体における一方の面側から該第１ウェットティッシュの連続体に液体を含浸させる第１含浸手段と、前記第２ウェットティッシュの連続体における一方の面側から該第２ウェットティッシュの連続体に液体を含浸させる第２含浸手段と、前記第１ウェットティッシュの連続体における他方の面と、前記第２ウェットティッシュの連続体における一方の面とが当接するように前記第１ウェットティッシュの連続体と前記第２ウェットティッシュの連続体とを重ね合わせて前記第１ウェットティッシュの連続体及び前記第２ウェットティッシュの連続体の重層体を形成する重ね手段と、を備えるウェットティッシュ包装体の製造装置に関する。
【発明の効果】
【００１７】
本発明のウェットティッシュ包装体によれば、包装体本体の内部に収容されたウェットティッシュが取り出しやすい。また、本発明のウェットティッシュ包装体の製造方法及び製造装置によれば、包装体本体の内部に収容されたウェットティッシュが取り出しやすいウェットティッシュ包装体を製造できる。
【図面の簡単な説明】
【００１８】
【図１】本発明のウェットティッシュ包装体の第１実施形態を示す斜視図である。
【図２】図１に示すウェットティッシュ包装体のラベル部材を剥離した状態を示す平面図である。
【図３】図２に示すＸ−Ｘ線断面図である。
【図４】第１実施形態におけるウェットティッシュの展開図である。
【図５】第１実施形態におけるウェットティッシュの斜視図である。
【図６】第１実施形態におけるウェットティッシュの折り返し状態を模式的に示す図である。
【図７】第２実施形態のウェットティッシュ包装体を示す図であり、図３に対応した図である。
【図８】図７の部分拡大図である。
【図９】第２実施形態のウェットティッシュ包装体の製造工程の概略を示す図である。
【図１０】図９における各工程の状態を示す斜視図である。
【図１１】第３実施形態のウェットティッシュ包装体におけるウェットティッシュの折り返し状態を模式的に示す図である。
【図１２】第４実施形態のウェットティッシュ包装体におけるウェットティッシュの折り返し状態を模式的に示す図である。
【図１３】ウェットティッシュの折り返し状態の変形例を模式的に示す図である。
【図１４Ａ】折り返し端部の折り返し状態の変形例の一例を模式的に示す図である。
【図１４Ｂ】折り返し端部の折り返し状態の変形例の他の例を模式的に示す図である。
【発明を実施するための形態】
【００１９】
以下、本発明の好ましい各実施形態について図面を参照しながら説明する。図１は、第１実施形態のウェットティッシュ包装体を示す斜視図であり、図２は、平面図である。図３は、図２に示すＸ−Ｘ線断面図である。
第１実施形態のウェットティッシュ包装体１は、図１〜図３に示すように、開口部１１を有する包装体本体１０と、この包装体本体１０の内部に収容される複数のウェットティッシュ２０と、包装体本体１０の外面に取り付けられ開口部１１を覆うラベル部材３０と、を備える。
【００２０】
包装体本体１０は、図１及び図２に示すように、シート状部材により構成され、平面視において略矩形形状を有する袋状に形成されている。包装体本体１０を構成するシート状部材としては、例えば、ポリエチレンテレフタレートフィルム、アルミニウム箔等が積層されて形成された液体不透過性のフィルム材料が挙げられる。
開口部１１は、包装体本体１０の上面における略中央部に設けられる。この開口部１１は、包装体本体１０を構成するシート状部材の一部が切り欠かれて形成される。
【００２１】
ラベル部材３０は、図２に示すように、略矩形形状における長手方向の一方の端縁が円弧状に形成された形状を有している。ラベル部材３０は、このラベル部材３０の長手方向が包装体本体１０の長手方向に沿うように包装体本体１０に取り付けられる。
より具体的には、ラベル部材３０は、長手方向の他方の端縁、つまり直線状に形成された端縁側において包装体本体１０の外面に剥離困難に接着される。また、ラベル部材３０は、包装体本体１０の外面に剥離困難に接着された部分を除いた部分において開口部１１を覆うと共に、包装体本体１０における開口部１１の周縁に剥離自在に接着される。
ラベル部材３０は、ポリエチレン、ポリプロピレン、ポリエステル、ポリアミド、ポリ塩化ビニル等の合成樹脂フィルムにより構成される。また、ラベル部材３０は、これらの合成樹脂フィルムを２枚以上積層した複層構造としてもよい。
【００２２】
図４は、第１実施形態におけるウェットティッシュ２０の展開図である。図５は、ウェットティッシュ２０の斜視図であり、図６は、ウェットティッシュ２０の折り返し状態を模式的に示す図である。
複数のウェットティッシュ２０は、図４に示すように、略矩形形状に形成されている。これら複数のウェットティッシュ２０は、図４〜図６に示すように、幅方向に延びる一対の側縁のうちの一方の側縁である第１側縁２１と他方の側縁である第２側縁２２との間に、第１折線４１、第２折線４２、第３折線４３及び第４折線４４を有し、これら第１折線４１、第２折線４２、第３折線４３及び第４折線４４で折り返されて折り畳まれている。そして、折り畳まれた状態のウェットティッシュ２０には、このウェットティッシュ２０が第１折線４１及び第２折線４２で折り返されて折り返し部２３が形成される。
【００２３】
図４及び図６に示すように、第１折線４１は、第１側縁２１から第１幅Ｗ１の位置に、第１側縁２１に略平行に設けられる。第２折線４２は、第１折線４１から第２幅Ｗ２の位置に、第１折線４１に略平行に設けられる。第３折線４３は、第２折線４２から第３幅Ｗ３の位置に、第２折線４２に略平行に設けられる。第４折線４４は、第３折線４３から第４幅Ｗ４の位置に、第３折線４３に略平行に設けられる。尚、第４折線４４から第２側縁２２までは、第５幅Ｗ５を有している。
【００２４】
第１実施形態では、複数のウェットティッシュ２０は、図５及び図６に示すように、第２折線４２において一方の面２０ａ同士が対向するように折り返され、第１折線４１において他方の面２０ｂ同士が対向するように折り返される。また、複数のウェットティッシュ２０は、第３折線４３において他方の面２０ｂ同士が対向するように折り返され、第４折線４において一方の面２０ａ同士が対向するように折り返される。つまり、第１実施形態では、折り返し部２３は、ウェットティッシュ２０が第２折線４２においてウェットティッシュ２０の一方の面２０ａ側に折り返されると共に、第１折線４１においてウェットティッシュ２０の他方の面２０ｂ側に折り返されて形成されている。
【００２５】
ここで、第１幅Ｗ１、第２幅Ｗ２、第３幅Ｗ３、第４幅Ｗ４及び第５幅Ｗ５の関係について説明する。
第１幅Ｗ１の長さと第２幅Ｗ２の長さとは、略等しく構成される。第３幅Ｗ３の長さは、第１幅Ｗ１の長さ及び第２幅Ｗ２の長さよりも長く、かつ、第４幅Ｗ４の長さよりも短く構成される。具体的には、第３幅Ｗ３の長さは、第４幅Ｗ４の長さの１／３〜２／３程度の長さに構成される。第４幅Ｗ４の長さは、第３幅Ｗ３の長さと第５幅Ｗ５の長さとの和以上の長さに構成される。第１幅Ｗ１〜第５幅Ｗ５の長さを上述のように構成することで、折り返し部２３は、折り畳まれた状態のウェットティッシュ２０における第１折線４１〜第４折線４４の延びる方向に交差（直交）する方向の略中央部に位置することとなる（図３参照）。
【００２６】
また、このように折り畳まれたウェットティッシュ２０は、図３及び図６に示すように、折り返し部２３が形成された部分において４層構造となり、折り返し部２３が形成されていない部分において２層構造となる。つまり、折り返し部２３が形成された部分は、折り返し部２３が形成されていない部分よりも２層分厚さが厚く構成される。
【００２７】
複数のウェットティッシュ２０は、図３に示すように、折り畳まれた状態で、互いに挟み込み合うことなく積層されて包装体本体１０に収容される。ここで、上述のように、複数のウェットティッシュ２０それぞれの折り返し部２３は、折り畳まれた状態のウェットティッシュ２０における第１折線４１〜第４折線４４の延びる方向に交差する方向の略中央部に位置している。従って、複数のウェットティッシュ２０それぞれの折り返し部２３の一部は、包装体本体１０の開口部１１から露出可能に配置される。言い換えれば、複数のウェットティッシュ２０それぞれの折り返し部２３の一部は、開口部１１と積層方向に重なる位置に配置される。
【００２８】
以上のウェットティッシュ包装体１は、図１に示すように、使用されない状態では、ラベル部材３０により開口部１１が覆われており、包装体本体１０に収容されたウェットティッシュ２０の乾燥が防止されている。そして、ウェットティッシュ包装体１を使用する場合には、ラベル部材３０を剥離して開口部１１を露出させる。すると、図２に示すように、複数のウェットティッシュ２０のうちの最も上層に配置されたウェットティッシュ２０が開口部１１から露出する。ここで、ウェットティッシュ２０は、折り返し部２３が開口部１１に重なる位置に配置されているので、この折り返し部２３の一部が開口部１１から露出する。
【００２９】
次いで、開口部１１から露出する折り返し部２３を摘んでウェットティッシュ２０を取り出す。このとき、折り返し部２３は、第１折線４１及び第２折線４２で折り返されて形成されているので、折り返し部２３は、折り返し部２３以外の部分よりも２層分高い位置に位置している。つまり、折り返し部２３は、摘みやすい状態で開口部１１に露出することとなる。また、折り返し部２３の第１折線４１も第２折線４２も、折り返し部２３の内側で隙間を形成している。即ち、シートがウェット状態であったとしても、この第１、２折線４１，４２では、シート同士が水密に密着せずに厚みを形成することになるため、第１，２折線４１，４２が厚みをもっており、指を引っ掛けやすい。また、水密に密着していないために指で変形しやすくなっており、指を引っ掛けやすくなっている。
また、複数のウェットティッシュ２０は、互いに挟み込み合うことなく積層されている。そのため、最上層のウェットティッシュ２０を開口部１１から取り出したときに、この取り出されたウェットティッシュ２０の下層に隣り合って配置されたウェットティッシュ２０が開口部１１から突出することはない。
【００３０】
第１実施形態のウェットティッシュ包装体１によれば、以下のような効果を奏する。
（１）包装体本体１０に積層されて収容されたウェットティッシュ２０は、ウェットティッシュ２０が含む水分により互いに密着して摘みにくくなる。そこで、第１折線４１及び第２折線４２においてウェットティッシュ２０を折り返して折り返し部２３を形成した。これにより、開口部１１から露出する折り返し部２３を、折り返し部２３以外の部分よりも２層分高い位置に位置させられる。よって、折り返し部２３が摘みやすい状態で開口部１１に露出するので、包装体本体１０の内部に収容されたウェットティッシュ２０を取り出しやすい。
【００３１】
（２）折り返し部２３を、ウェットティッシュ２０を第２折線４２において一方の面２０ａ同士が対向するように折り返すと共に、第１折線４１において他方の面２０ｂ同士が対向するように折り返して形成した。これにより、開口部１１からウェットティッシュ２０を取り出した状態で、このウェットティッシュ２０を開いた状態にできる。よって、ウェットティッシュ包装体１の利便性を向上できる。
【００３２】
（３）複数のウェットティッシュ２０それぞれを、第４折線４４において一方の面２０ａ同士が対向するように折り返して折り畳んだ。これにより、折り畳んだ状態のウェットティッシュ２０の平面視における大きさを小さくできるので、ウェットティッシュ包装体１を小さく構成できる。
【００３３】
次に、本発明のウェットティッシュ包装体１の第２実施形態について、図７及び図８を参照しながら説明する。以下の実施形態の説明にあたって、同一構成要件については同一符号を付し、その説明を省略もしくは簡略化する。
図７は、第２実施形態のウェットティッシュ包装体１を示す図であり、図８は、図７の部分拡大図である。
【００３４】
第２実施形態のウェットティッシュ包装体１は、複数のウェットティッシュ２０が第１ウェットティッシュ２１０と、第２ウェットティッシュ２２０とを含んで構成される点で、第１実施形態と異なる。
具体的には、図７及び図８に示すように、第２ウェットティッシュ２２０における第３幅Ｗ３の長さである第２長さＷ３ｂは、第１ウェットティッシュ２１０における第３幅Ｗ３の長さである第１長さＷ３ａよりも第２幅Ｗ２の長さ程度短く構成されている。また、第２ウェットティッシュ２２０における第５幅Ｗ５の長さは、第１ウェットティッシュ２１０における第５幅Ｗ５の長さよりも若干短く構成されている。尚、第２ウェットティッシュ２２０における第４幅Ｗ４の長さは、第１ウェットティッシュ２１０における第４幅Ｗ４の長さと同じ長さに構成されている。
これにより、同じサイズのウェットティッシュ２０を用いて、第１ウェットティッシュ２１０及び第２ウェットティッシュ２２０を形成できる。
【００３５】
第２実施形態では、図７に示すように、第１ウェットティッシュ２１０と第２ウェットティッシュ２２０とは、交互に積層されて包装体本体１０に収容されている。ここで、第２ウェットティッシュ２２０における第３幅Ｗ３の長さＷ３ｂは、第１ウェットティッシュ２１０における第３幅Ｗ３の長さＷ３ａよりも第２幅Ｗ２の長さ程度短く構成されている。これにより、複数のウェットティッシュ２０が積層された状態で、第１ウェットティッシュ２１０の折り返し部２３ａと、第２ウェットティッシュ２２０の折り返し部２３ｂとは、平面視において重なり合わない位置に配置される。
【００３６】
第２実施形態のウェットティッシュ包装体１によれば、上述した（１）〜（３）の効果を奏する他、以下のような効果を奏する。
【００３７】
（４）第２ウェットティッシュ２２０の第３幅Ｗ３の長さＷ３ａを、第１ウェットティッシュ２１０の第３幅Ｗ３の長さＷ３ｂよりも短く構成した。これにより、第１ウェットティッシュ２１０の折り返し部２３ａと第２ウェットティッシュ２２０の折り返し部２３ｂとを、平面視において重なり合わない位置に配置できる。よって、ウェットティッシュ２０を複数積層した場合におけるウェットティッシュ包装体１の高さを低く抑えられる。
【００３８】
次に、第２実施形態のウェットティッシュ包装体１の製造方法の一実施態様について、図９及び図１０を参照しながら説明する。図９は、第２実施形態のウェットティッシュ包装体１の製造装置及び製造工程の概略を示す図である。図１０は、図９における各工程の状態を示す斜視図である。
【００３９】
本実施態様のウェットティッシュ包装体の製造方法は、所定の位置に形成される折線で折り畳まれた第１ウェットティッシュ２１０と、この第１ウェットティッシュ２１０の折線とは異なる位置に形成される折線で折り畳まれた第２ウェットティッシュ２２０とが交互に積層されたウェットティッシュ積層体２３０を有するウェットティッシュ包装体１の製造方法である。このウェットティッシュ包装体１の製造方法は、図９及び図１０に示すように、繰り出し工程Ｓ１と、第１折り重ね工程Ｓ２と、第２折り重ね工程Ｓ３と、第１含浸工程Ｓ４と、第２含浸工程Ｓ５と、重ね工程Ｓ６と、切断工程Ｓ７と、積層工程Ｓ８と、を備える。
また、本実施態様のウェットティッシュ包装体の製造方法に用いられるウェットティッシュ包装体の製造装置は、繰り出し手段と、第１折手段６３と、第２折手段６４と、第１含浸手段６５と、第２含浸手段６６と、重ね手段６７と、切断手段６９と、積層手段７１と、を備える。
【００４０】
繰り出し工程Ｓ１では、図９に示すように、ロール状に巻かれた第１原反６１が繰り出されると共に、ロール状に巻かれた第２原反６２が繰り出される。
第１原反６１及び第２原反６２としては、例えば、スパンレース法によりシート状に構成された坪量３０〜７０ｇ／ｍ２の不織布が好適に用いられる。また、第１原反６１及び第２原反６２として不織布を用いる場合、第１含浸工程Ｓ４及び第２含浸工程Ｓ５において薬液を好適に浸透させる観点から、不織布は、親水繊維を含んで構成されることが好ましい。
【００４１】
第１折り重ね工程Ｓ２では、繰り出し工程Ｓ１において繰り出された第１原反６１が第１折手段６３により第１原反６１の幅方向に折り重ねられて第１ウェットティッシュ２１０の連続体が形成される。
第２折り重ね工程Ｓ３では、繰り出し工程Ｓ１において繰り出された第２原反６２が第２折手段６４により第２原反６２の幅方向に折り重ねられて第２ウェットティッシュ２２０の連続体が形成される。
【００４２】
第１折手段６３及び第２折手段６４としては、例えば、所定の折畳エッジ（図示せず）を有し左右２枚に分割された折畳ボード６１０と、可動調節機構（図示せず）を有する位置決めステー６２０と、を備える折畳装置が用いられる。
【００４３】
第１含浸工程Ｓ４では、第１含浸手段６５により第１ウェットティッシュ２１０の連続体における一方の面側から第１ウェットティッシュ２１０の連続体に液体としての薬液が含浸される。
第１含浸手段６５は、表面に複数の細孔が形成されこれら複数の細孔から薬液を吐出可能な含浸ロールと、液体としての薬液を収容する薬液タンク（図示せず）と、この薬液タンクから含浸ロールに薬液を供給するポンプ（図示せず）と、を含んで構成される。本実施態様では、第１含浸手段６５を構成する含浸ロールを、搬送される第１ウェットティッシュ２１０の連続体における一方の面に当接するように配置し、この含浸ロールから薬液を吐出させることで第１ウェットティッシュ２１０の連続体に薬液を含浸させる。
【００４４】
第２含浸工程Ｓ５では、第２含浸手段６６により第２ウェットティッシュ２２０の連続体における一方の面側から第２ウェットティッシュ２２０の連続体に薬液が含浸される。
第２含浸手段６６は、第１含浸手段６５と同様の構成を有する。本実施態様では、第２含浸手段６６を構成する含浸ロールを、搬送される第２ウェットティッシュ２２０の連続体における一方の面に当接するように配置し、この含浸ロールから薬液を吐出させることで第２ウェットティッシュ２２０の連続体に薬液を含浸させる。
【００４５】
重ね工程Ｓ６では、薬液が含浸された第１ウェットティッシュ２１０の連続体と、薬液が含浸された第２ウェットティッシュ２２０の連続体とが重ね手段としての重ねロール６７により重ね合わせられる。より具体的には、重ね工程Ｓ６では、搬送ロール６５１により搬送される第１ウェットティッシュ２１０の連続体における他方の面と、搬送ロール６６１及び搬送ロール６６２により搬送される第２ウェットティッシュ２２０の連続体における一方の面とが当接するように第１ウェットティッシュ２１０の連続体と第２ウェットティッシュ２２０の連続体とが重ね合わせられる。これにより、第１ウェットティッシュ２１０の連続体及び第２ウェットティッシュ２２０の連続体の重層体が形成される。
【００４６】
以上の重ね工程Ｓ６では、第１ウェットティッシュ２１０における薬液が含浸されない側の他方の面と、第２ウェットティッシュ２２０における薬液が含浸される側の一方の面とが当接するように第１ウェットティッシュ２１０と第２ウェットティッシュ２２０とが重層される。これにより、第１ウェットティッシュ２１０及び第２ウェットティッシュ２２０の薬液が含浸された面同士が当接しないので、第１ウェットティッシュ２１０と第２ウェットティッシュ２２０とが薬液の表面張力により過剰に密着することを防げる。
【００４７】
ここで、第１ウェットティッシュ２１０の連続体及び第２ウェットティッシュ２２０の連続体をスムーズに搬送するためには、第１ウェットティッシュ２１０の連続体を搬送ロール６５１に適度に貼りつかせ、第２ウェットティッシュ２２０の連続体を搬送ロール６６１及び搬送ロール６６２に適度に貼りつかせることが好ましい。また、重ねロール６７においては、第１ウェットティッシュ２１０の連続体と第２ウェットティッシュ２２０の連続体とを、一枚ずつの分離が困難になるほどには密着させず、かつ、搬送時に容易に離間しない程度に貼りつかせることが好ましい。
【００４８】
以上の観点から、第１原反６１及び第２原反６２として、例えば、レーヨン繊維主体のスパンレース不織布（坪量３８ｇ／ｍ２）を用いた場合、第１含浸工程Ｓ４、及び第２含浸工程Ｓ５において、第１ウェットティッシュ２１０の連続体、及び第２ウェットティッシュ２２０の連続体に含浸される薬液の量は、それぞれ、第１原反６１及び第２原反６２の重量に対して１５０％〜５００％であることが好ましく、２００％〜４００％であることがより好ましい。
【００４９】
切断工程Ｓ７では、重ね工程Ｓ６において重ね合わせられた第１ウェットティッシュ２１０の連続体及び第２ウェットティッシュ２２０の連続体の重層体が切断手段６９により長手方向に所定の間隔をあけて切断される。
切断手段６９は、表面に切り刃を有するカッタロール６９１と、このカッタロール６９１に対向して配置されるアンビルロールとを備える。切断工程Ｓ７では、第１ウェットティッシュ２１０の連続体及び第２ウェットティッシュ２２０の連続体の重層体は、第１搬送コンベア６８によりカッタロール６９１とアンビルロール６９２との間に搬送されて所定の長さに切断される。
【００５０】
積層工程Ｓ８では、切断工程Ｓ７において切断された第１ウェットティッシュ２１０及び第２ウェットティッシュ２２０の重層体が積層手段としてのプッシャ７１により複数層積層される。より具体的には、積層工程Ｓ８では、切断工程Ｓ７において切断された第１ウェットティッシュ２１０及び第２ウェットティッシュ２２０の重層体は、第２搬送コンベア７０によりプッシャ７１の下方に搬送されて積層されていく。そして、プッシャ７１は、所定の時間間隔で上下して積層された第１ウェットティッシュ２１０及び第２ウェットティッシュ２２０の重層体を所定の力で押圧する。
【００５１】
以上の繰り出し工程Ｓ１〜積層工程Ｓ８により、第１ウェットティッシュ２１０及び第２ウェットティッシュ２２０が交互に積層されて形成されたウェットティッシュ積層体２３０は、包装工程（図示せず）により包装される。
【００５２】
本実施態様においては、搬送ロール６５１，６６１，６６２、重ねロール６７、第１搬送コンベア６８及び第２搬送コンベア７０は、いずれも表面が平滑に構成されている。また、搬送ロール６５１，６６１，６６２、重ねロール６７、第１搬送コンベア６８及び第２搬送コンベア７０による第１原反６１及び第２原反６２の搬送速度も略同一となっている。
【００５３】
以上説明した本実施態様の製造方法によれば、第１ウェットティッシュ２１０の連続体及び第２ウェットティッシュ２２０の連続体それぞれの一方の面側から薬液を含浸させ、第１ウェットティッシュ２１０の連続体の他方の面と第２ウェットティッシュ２２０の連続体の一方の面とを当接させて第１ウェットティッシュ２１０の連続体及び第２ウェットティッシュ２２０の連続体を重層させた。これにより、第１ウェットティッシュ２１０及び第２ウェットティッシュ２２０の薬液が含浸された面同士が当接しないので、第１ウェットティッシュ２１０と第２ウェットティッシュ２２０とが薬液の表面張力により過剰に密着することを防げる。よって、ウエットティッシュ包装体１から第１ウェットティッシュ２１０を取り出す場合に、この第１ウェットティッシュ２１０に第２ウェットティッシュ２２０が密着して同時に２枚のウェットティッシュ２０が取り出されてしまうことを防げる。
【００５４】
また、第１含浸工程Ｓ４及び第２含浸工程Ｓ５において、含浸ロールによって第１ウェットティッシュ２１０の連続体及び第２ウェットティッシュ２２０の連続体に薬液を付着させた。これにより、第１ウェットティッシュ２１０の連続体及び第２ウェットティッシュ２２０の連続体に薬液を効率的かつ均一に含浸させられる。また、第１ウェットティッシュ２１０の連続体及び第２ウェットティッシュ２２０の連続体に薬液を付着させるときに薬液が飛散しないので、飛散した薬液による製造設備の汚染を防げる。
【００５５】
尚、本実施態様では、切断工程Ｓ７において、一組の第１原反６１及び第２原反６２の重層体を切断したが、これに限らない。即ち、切断工程において、第１原反及び第２原反の重層体を二組以上積層した状態で切断してもよい。
【００５６】
また、本実施態様では、繰り出し工程Ｓ１において第１原反６１及び第２原反６２の２つの原反を繰り出し、重ね工程Ｓ６においては、これら２枚の第１原反６１及び第２原反６２を重ね合わせたが、これに限らない。即ち、繰り出し工程において、３つ以上の原反を繰り出すと共に、重ね工程において、これら３枚以上の原反を重ね合わせてもよい。これにより、３種類以上の異なる折形状のウェットティッシュが順に積層されたウェットティッシュ包装体を製造できる。
【００５７】
また、本実施態様では、第１含浸工程Ｓ４及び第２含浸工程Ｓ５において、含浸ロールを用いて第１ウェットティッシュ２１０の連続体の一方の面及び第２ウェットティッシュ２２０の連続体の一方の面に薬液を含浸させたが、これに限らない。即ち、滴状又は霧状の薬液を第１ウェットティッシュ２１０の連続体の一方の面及び第２ウェットティッシュ２２０の連続体の一方の面に付着させてもよい。
【００５８】
次に、本発明の第３実施形態について、図１１を参照しながら説明する。図１１は、第３実施形態におけるウェットティッシュ２０の折り返し状態を模式的に示す図である。
第３実施形態のウェットティッシュ包装体１は、折り返し部２３の構成において、第１実施形態と異なる。
より具体的には、第３実施形態におけるウェットティッシュ２０の折り返し部２３は、図１１に示すように、第２折線４２及び第１折線４１において、ウェットティッシュ２０の一方の面２０ａ同士が対向するように折り返されて形成されている。
第３実施形態のウェットティッシュ包装体１によれば、上述した（１）及び（３）の効果を奏する。
【００５９】
次に、本発明の第４実施形態について、図１２を参照しながら説明する。
第４実施形態のウェットティッシュ包装体１Ａは、折り返し部２３に代えて２つ折り部５１及び折り返し端部５２を備える点で第１実施形態〜第３実施形態と異なる。
より具体的には、ウェットティッシュ１Ａは、図１２に示すように、第１側縁２１と、この第１側縁２１から所定幅Ｗ６の位置でウェットティッシュ２０が２つ折りに折り返されて形成された２つ折り部５１と、この２つ折り部５１の先端側が更に折り返されて形成された折り返し端部５２と、を備える。
【００６０】
２つ折り部５１は、ウェットティッシュ２０の一方の面２０ａ同士が対向するように折り返されて形成される。この２つ折り部５１は、ウェットティッシュ２０を２つ折りにした場合における第１側縁２１が第３折線４３よりも手前側に位置するように形成される。
折り返し端部５２は、２つ折り部５１が所定幅Ｗ６よりも狭い幅Ｗ７で更に折り返されて形成される。この折り返し端部５２は、ウェットティッシュ２０の他方の面２０ｂ同士が対向するように折り返されて形成される。
第４実施形態では、複数のウェットティッシュ２０は、折り返し端部５２の一部が開口部１１から露出可能に積層されて配置されている。また、積層された状態で積層方向に隣り合う２つのウェットティッシュ２０における折り返し端部５２は、平面視において重なり合わない位置に配置されている。更に、複数のウェットティッシュ２０は、第１側縁２１が異なる方向を向くように交互に積層されて包装体本体１０に収容される。
【００６１】
第４実施形態のウェットティッシュ包装体１Ａによれば、以下のような効果を奏する。
（５）２つ折り部５１の先端側を更に折り返して折り返し端部５２を設けた。これにより、折り返し端部５２が設けられた位置においてウェットティッシュ２０を４層構造に構成できる。よって、折り返し端部５２が摘みやすい状態で開口部１１に露出するので、包装体本体１０の内部に収容されたウェットティッシュ２０を取り出しやすい。
【００６２】
（６）積層された状態で積層方向に隣り合う２つのウェットティッシュ２０における折り返し端部５２を、平面視において重なり合わない位置に配置した。よって、ウェットティッシュ２０を複数積層した場合におけるウェットティッシュ包装体１Ａの高さを低く抑えられる。
【００６３】
以上、本発明の好ましい各実施形態について説明したが、本発明は、上述した各実施形態に制限されるものではなく、適宜変更が可能である。
例えば、第１実施形態及び第２実施形態では、ラベル部材３０の長手方向を、包装体本体１０の長手方向に沿うように配置したがこれに限らない。即ち、ラベル部材の長手方向を、包装体本体の幅方向に沿うように配置してもよい。
【００６４】
また、上述した各実施形態では、包装体本体１０を平面視で略矩形形状に構成したが、これに限らない。即ち、包装体本体を平面視で正方形形状に構成してもよい。
【００６５】
また、上述した第１実施形態では、第１幅Ｗ１の長さと第２幅Ｗ２の長さとを略同一の長さに構成したが、これに限らない。即ち、第１幅の長さを第２幅の長さよりも短く構成してもよい。
【００６６】
また、第１実施形態〜第３実施形態では、ウェットティッシュ２０を、第１折線４１〜第４折線４４にて折り返して折り畳んだが、これに限らない。即ち、図１３に示すように、ウェットティッシュ２０を、第１折線４１〜第３折線４３にて折り返して折り畳み、第４折線を設けなくてもよい。
【００６７】
また、第４実施形態では、第１側縁２１を第３折線４３よりも手前側に位置するように折り返して２つ折り部５１を構成したが、これに限らない。即ち、図１４Ａに示すように、第１側縁２１を第３折線４３と第４折線４４との間に位置するように折り返して２つ折り部５１を構成してもよい。また、図１４Ｂに示すように、第２側縁２２を所定幅に２つ折りに折り返して２つ折り部５１及び折り返し端部５２を構成してもよい。
【００６８】
本発明は、おしりふき等に用いられるウェットティッシュを収容する包装体、キッチン周り、浴室、洗面台等の水周りの汚れ清掃に用いられる清拭シートを収容する包装体等に好適に適用できる。
【符号の説明】
【００６９】
１  ウェットティッシュ包装体
１０  包装体本体
１１  開口部
２０  ウェットティッシュ
２０ａ  一方の面
２０ｂ  他方の面
２１  第１側縁
２２  第２側縁
２３  折り返し部
３０  ラベル部材
４１  第１折線
４２  第２折線
４３  第３折線
４４  第４折線
５１  ２つ折り部
５２  折り返し端部
２１０  第１ウェットティッシュ
２２０  第２ウェットティッシュ
Ｗ１  第１幅
Ｗ２  第２幅
Ｗ３  第３幅
Ｗ３ａ  第１長さ
Ｗ３ｂ  第２長さ
Ｗ４  第４幅
【図１】
0005484978.tif 000002
【図２】
0005484978.tif 000003
【図３】
0005484978.tif 000004
【図４】
0005484978.tif 000005
【図５】
0005484978.tif 000006
【図６】
0005484978.tif 000007
【図７】
0005484978.tif 000008
【図８】
0005484978.tif 000009
【図９】
0005484978.tif 000010
【図１０】
0005484978.tif 000011
【図１１】
0005484978.tif 000012
【図１２】
0005484978.tif 000013
【図１３】
0005484978.tif 000014
【図１４Ａ】
0005484978.tif 000015
【図１４Ｂ】
0005484978.tif 000016